(57)【要約】【課題】仕様が異なる複数の映像音声管理装置が、縮小コンテンツを格納した映像音声画像再生装置から実体コンテンツに、認証が必要な環境において、アクセスすることを可能にする。【解決手段】第一及び、第二の不揮発性記憶装置が接続された映像音声画像管理装置は、第一の不揮発性記憶装置から第二の不揮発性記憶装置に映像音声画像コンテンツの複写を行う取り込み手段と、取り込んだ映像音声画像コンテンツの容量を小さくした縮小コンテンツを生成する縮小コンテンツ生成手段と、第二の不揮発性記憶装置にアクセスするための手順を記載したアクセススクリプトを生成するアクセススクリプト生成手段とを具備し、前記取り込み手段は、前記縮小コンテンツ生成手段によって生成された縮小コンテンツの中に前記アクセススクリプトを埋め込んだコンテンツを第一の不揮発性記憶装置に記録することを特徴とする。【選択図】図２
2011035494.tif 000002
【特許請求の範囲】
【請求項１】
第一の不揮発性記憶装置と第二の不揮発性記憶装置が接続された映像音声画像管理装置であって、
第一の不揮発性記憶装置から第二の不揮発性記憶装置に映像音声画像コンテンツの複写を行う取り込み手段と、
取り込み手段によって第一の不揮発性記憶装置から取り込んだ映像音声画像コンテンツの容量を小さくした縮小コンテンツを生成する縮小コンテンツ生成手段と、
第二の不揮発性記憶装置にアクセスするための手順を記載したアクセススクリプトを生成するアクセススクリプト生成手段と、
を備え、
前記取り込み手段は、前記縮小コンテンツ生成手段によって生成された縮小コンテンツの中に前記映像音声画像コンテンツの中にアクセススクリプト生成手段によって生成された前記アクセススクリプトを埋め込み、前記アクセススクリプトが埋め込まれた前記縮小コンテンツを第一の不揮発性記憶装置に記録することを特徴とした映像音声画像管理装置。
【請求項２】
前記アクセススクリプト生成手段の要求処理に応じ、前記アクセススクリプトを暗号化する暗号化手段、
をさらに備えたことを特徴とする請求項１に記載の映像音声画像管理装置。
【請求項３】
前記アクセススクリプト生成手段の要求処理に応じ、前記アクセススクリプトの電子署名を付与する署名付与手段、
をさらに備えたことを特徴とする請求項１または２に記載の映像音声画像管理装置。
【請求項４】
前記映像音声画像コンテンツは、Ｅｘｉｆ形式の静止画像であって、ＭａｋｅｒＮｏｔｅ領域に前記アクセススクリプトを格納すること、
を特徴とした請求項１から３に記載の映像音声画像管理装置。
【請求項５】
第１の不揮発性記憶装置が接続された再生装置であって、
第１の不揮発性記憶装置内の映像音声画像コンテンツの表示を制御するコンテンツ表示手段と、
前記映像音声画像コンテンツに前記第２の不揮発性記憶装置に記録された映像音声画像コンテンツへアクセスするための前記アクセススクリプトが付与されていた場合に、スクリプトを解釈し、実行を行い第２の不揮発性記憶装置から映像音声画像コンテンツを取得するスクリプト実行手段と、
を備えたことを特徴とした再生装置。
【請求項６】
前記スクリプト実行手段の要求に応じ、前記アクセススクリプトが暗号化されていた場合に復号化を行う復号化手段、
をさらに備えたことを特徴とする請求項５に記載の再生装置。
【請求項７】
前記スクリプト実行手段の要求に応じ、前記アクセススクリプトに署名が付与されていた場合にアクセススクリプトが改竄されていないかどうかを、署名を検証することによって確認を行う署名付与手段、
をさらに備えたことを特徴とする請求項５または６に記載の再生装置。
【請求項８】
請求項１から４のいずれかに記載の映像音声画像管理装置が、前記第１の不揮発性記憶装置に前記アクセススクリプトが埋め込まれた前記縮小コンテンツを格納し、
請求項５から７のいずれかに記載の再生装置が前記第１の不揮発性記憶装置の前記縮小コンテンツに含まれるアクセススクリプトを解釈し、実行することで前記第２の不揮発性記憶装置に格納された前記映像音声画像コンテンツを取得する、
ことを特徴とする映像音声画像管理システム。
【発明の詳細な説明】
【技術分野】
【０００１】
本発明は、映像音声管理装置、再生装置、及び映像音声管理システムに関する。
【背景技術】
【０００２】
近年、デジタルデータを読み書き可能な不揮発性記憶装置としてＳＤメモリカードやメモリースティック、コンパクトフラッシュ（登録商標）といった半導体メモリが普及してきている。これらの半導体メモリを使ってデータを処理するデータ処理装置は、パーソナルコンピュータ、映像機器、携帯電話、デジタルカメラなどの電化製品を始め、多岐に渡っている。半導体メモリ等の着脱可能で可搬性に優れた不揮発性記憶装置はデータ処理装置間のデータのやり取りを担うブリッジメディアとして特に有用である。ブリッジメディアとしての着脱可能な不揮発性記憶装置は、ハードディスクドライブ等の固定記憶装置よりも小さいことが多いため、デジタルカメラやデジタルビデオカメラなどの撮像・再生装置によって記録された映像・音声・静止画像などのコンテンツは、映像・音声・静止画像を管理するデータ処理装置である映像音声画像管理装置内のより大容量の固定記憶装置にバックアップを行うことがある。
【０００３】
撮像・再生装置でコンテンツを記憶容量の限られた撮像・再生装置で記録するためには、映像音声画像管理装置を用いてバックアップを行った後、記憶可能な空き容量を増やすために不揮発性記憶媒体からコンテンツの削除処理を行っていた。しかし、削除をしてしまうとデジタルカメラやポータブルプレーヤなどに不揮発性記憶媒体を格納し、閲覧しようとしても実体が削除されると不可能になる課題があった。そのため、デジタルカメラなどの撮像機器が画像を撮影すると同時にその縮小画像を同時に記録し、縮小前のコンテンツである実体コンテンツと縮小コンテンツを一意に特定できる識別情報で紐付けを行い、バックアップ時は実体コンテンツのみを削除することで解決する方法が提案されている（特許文献１）。あるいは、映像音声管理装置がバックアップ時に縮小コンテンツを生成した上で不揮発性記憶媒体に書き戻し、縮小コンテンツに実体コンテンツのバックアップ先の位置を示すアドレスタグを記録することで、紐付けを行う方法も提案されている（特許文献２）。
【０００４】
特許文献１、特許文献２は撮像・再生装置側か管理装置側か、紐づける方法として識別情報かアドレスタグかの違いはあるが、縮小画像とそれを紐づけるための情報を用いることで、縮小画像を元にデジタルカメラやポータブルプレーヤなどの解像度の低い液晶表示面などでバックアップ後も閲覧することが可能となる。
【先行技術文献】
【特許文献】
【０００５】
【特許文献１】特開２００５−２３６３４５号公報
【特許文献２】特開２００８−２２８２４４号公報
【発明の概要】
【発明が解決しようとする課題】
【０００６】
しかし、特許文献１記載の方法では、識別情報で紐付けを行うため、縮小コンテンツに記録されている識別情報を元に実体コンテンツを探し出そうとすると、撮像・再生装置で撮影されたコンテンツのリストが画像管理装置に存在している必要があり、複数の画像管理装置にバックアップしようとすると、全ての識別情報の一覧が分散してしまうため、管理不能となる。そのため、実体コンテンツは一カ所で管理されることが強いられる。
【０００７】
特許文献２に記載の方法では縮小画像の中に実体コンテンツの位置を示すアドレスタグが埋め込まれているため、バックアップ箇所が分散していてもコンテンツ実体の位置を把握することができる。しかし、アドレスタグが示す位置の表記方法について実体コンテンツを取ってこようとする装置は理解しておく必要がある。そのため、屋外に持ち出した再生機器に格納されている縮小コンテンツを元に屋内の映像音声画像管理装置内の実体コンテンツを取得しようとしても、個人情報である撮影画像を保護するため、何らかの認証手段が必要となる。認証方法や位置を表す表現方法は、時代を重ねるごとに変化することが多く、最新の映像音声画像管理装置が縮小画像に書き戻したアドレスタグを古い再生機器が理解できなかったり、認証プロトコルに対応していなかったりする問題点がある。
【０００８】
バックアップ先がＰｉｃａｓａＷｅｂＡｌｂｕｍ（商標）、Ｆｌｉｃｋｒ（商標）などのインターネット上の写真共有サービスの場合、ＷｅｂＡＰＩ（Ａｐｐｌｉｃａｔｉｏｎ  Ｐｒｏｇｒａｍｍｉｎｇ  Ｉｎｔｅｒｆａｃｅ）と呼ばれる個々のサービス提供者が個別に定めた手続き手順に従ってアクセスする必要があるが、特許文献１に記載の方法や、特許文献２に記載の方法では、実体コンテンツを取得しようとする装置が全てのアクセス方法を理解しておく必要があり、未来に規定される認証方法には追従できない問題点があった。
【０００９】
ここで図１０を用いて、従来の再生装置が前述した紐付け方法での課題を詳述する。まず再生装置１０５０に格納された映像音声画像コンテンツに紐づけられたアドレスタグを使って外部の記憶装置に格納されたコンテンツにアクセスしようとした場合、格納先がサーバ１０００のような場合、誰でも閲覧可能な公開領域に格納されているため、ＨＴＴＰプロトコルなど汎用的なアドレス表記を使って取得することが可能である。しかし、個人が撮像した映像音声画像コンテンツはプライバシーの問題があり、誰でも閲覧可能な場所においておかないケースも考えられる。アドレスタグを使った場合例えば、サーバ１０１０へＨＴＴＰプロトコル上でＢＡＳＩＣ認証を行い、ユーザＩＤやパスワードを埋め込むような方法も考えられる。しかし、この方法では、認証方法は１つに限定されてしまう上、ユーザＩＤやパスワードといった重要な情報がインターネット上に暗号化されず流れてしまう可能性がある。そのため、多くの場合サーバ１０２０のようにＷｅｂＡＰＩを用いてアクセスするような方法がある。この場合、サーバ１０２０が指定するＷｅｂＡＰＩでのアクセス手順に従う必要があるがアドレスタグといった方法では、アクセスすることができない。家庭外から家庭内のデジタルビデオレコーダ１０３０やデジタルビデオレコーダ１０４０にアクセスする場合も同様にインターネット上にユーザＩＤやパスワードが流れないような方法で、認証を行う必要があるが、デジタルビデオレコーダ１０３０とデジタルビデオレコーダ１０４０で発売時期が異なったり、メーカが異なると認証方法も異なったりする場合がある。この場合も同様にアドレスタグといった方法ではアクセスすることができない。
【００１０】
本発明では上記問題点に鑑み、仕様が異なる複数の映像音声管理装置であっても、映像音声画像管理装置にアクセスするに当たって、認証が必要な環境においても縮小コンテンツを格納した映像音声画像再生装置から実体コンテンツにアクセスすることを可能とするために、実体コンテンツへアクセスするためのスクリプトが埋め込まれた縮小コンテンツを生成する映像音声画像管理装置、映像音声画像管理システムを提供する。
【課題を解決するための手段】
【００１１】
本発明における映像音声画像管理装置は、第一の不揮発性記憶装置と第二の不揮発性記憶装置が接続された映像音声画像管理装置であって、映像音声画像管理装置は第一の不揮発性記憶装置から第二の不揮発性記憶装置に映像音声画像コンテンツの複写を行う取り込み手段と、取り込み手段によって第一の不揮発性記憶装置から取り込んだ映像音声画像コンテンツの容量を小さくした縮小コンテンツを生成する縮小コンテンツ生成手段と、第二の不揮発性記憶装置にアクセスするための手順を記載したアクセススクリプトを生成するアクセススクリプト生成手段とを具備し、前記取り込み手段は、前記縮小コンテンツ生成手段によって生成された縮小コンテンツの中に前記映像音声画像コンテンツの中にアクセススクリプト生成手段によって生成された前記アクセススクリプトを埋め込み、前記アクセススクリプトが埋め込まれた前記縮小コンテンツを第一の不揮発性記憶装置に記録することを特徴とする。
【発明の効果】
【００１２】
本発明による映像音声画像管理装置を用いれば、実体コンテンツを小容量の着脱可能な不揮発性記憶装置から、大容量の不揮発性記憶装置にバックアップを行った後も、縮小コンテンツが記録されているため、小容量の着脱可能な不揮発性記憶装置の空き容量を増やしつつ、簡易的にコンテンツの閲覧を可能にすると同時に、実体コンテンツへアクセスするアクセススクリプトを用いることで、ネットワーク等を経由して、認証が必要な箇所にある実体コンテンツへアクセスすることも可能となる。
【図面の簡単な説明】
【００１３】
【図１】本発明に於ける映像音声画像管理システムの概念図
【図２】本発明に於ける映像音声画像管理装置の構成例を示したブロック図
【図３】本発明に於ける映像音声画像コンテンツの一例を示した図
【図４】本発明に於ける縮小コンテンツの一例を示した図
【図５】本発明に於ける平文スクリプトの一例を示した図
【図６】本発明に於ける映像音声画像管理装置が映像音声画像コンテンツ、アクセススクリプトを含んだ縮小コンテンツを第１の不揮発性記憶装置に書き戻す動作例を示したフローチャート
【図７】本発明に於ける撮像・再生装置の構成例を示したブロック図
【図８】再生装置が不揮発性記憶装置に格納されたコンテンツを表示、印刷する手順を示したフローチャート
【図９】本発明に於ける映像音声画像管理システムであって、サーバが外部にある場合の概念図
【図１０】従来の場合の映像音声化像管理システムの概念図
【発明を実施するための形態】
【００１４】
（実施の形態１）
以下、本発明の実施の形態を図面に基づいて詳細に説明する。まず、本発明による映像音声管理システムについて説明する。図１は映像音声管理システムの概念図である。
【００１５】
図１において、１００は映像音声画像管理装置であるデジタルビデオレコーダであり屋内に設置されている。１１０は映像音声画像管理装置１００内に内蔵された第二の不揮発性記憶装置（ここでは、ハードディスクドライブ）。２００は着脱可能な第一の不揮発性記憶装置（ここでは、メモリカード）。１０１は第一の不揮発性記憶装置２００を映像音声画像管理装置１００に装着し、読み書きを行うためのスロットである。３００は撮像・再生装置（ここではデジタルスチルカメラ）。５００は撮像・再生装置３００に接続して、映像音声画像を表示する表示デバイス（ここではテレビ）である。
【００１６】
撮像・再生装置３００によって記録された映像音声画像コンテンツ９００は撮像・再生装置３００に装着された不揮発性記憶装置２００に格納される。その後、不揮発性記憶装置２００は内部に格納された映像音声画像コンテンツを映像音声画像管理装置１００にバックアップを取るため、ユーザによって撮像・再生装置３００から抜去された後、映像音声画像管理装置１００のスロット１０１に装着される。映像音声画像管理装置１００は不揮発性記憶装置２００に格納された映像音声画像コンテンツ９００を映像音声画像管理装置１００内に内蔵された第二の不揮発性記憶装置１１０に複写する。複写された映像音声画像コンテンツを９０１とする。映像音声画像管理装置１００は、バックアップ後不揮発性記憶装置２００から映像音声画像コンテンツ９００を消去し、映像音声画像コンテンツ９００を縮小した縮小コンテンツ９０２不揮発性記憶装置２００に格納する。縮小コンテンツ９０２は映像音声画像コンテンツ９０１を取得するために必要な手続きを記載したアクセススクリプト９１０を内部に含む。不揮発性記憶装置２００はバックアップ完了後、ユーザは映像音声画像装置１００から抜去し、撮像・再生装置３００に装着される。撮像・再生装置３００の表示部３０１で不揮発性記憶装置２００に格納されたコンテンツを見る際、縮小コンテンツ９０２の場合は、縮小コンテンツ９０２をそのまま表示する。撮像・再生装置３００を表示デバイス５００や印刷装置６００に接続するような場合、縮小コンテンツ９０２では荒すぎて閲覧に耐えない品質の場合がある。その際、撮像・再生装置３００は、縮小コンテンツ９０２に含まれるアクセススクリプト９１０に記載されている手順にしたがってネットワークを経由し、不揮発性記憶装置１００の第２の不揮発性記憶装置１１０に複写されている像音声画像コンテンツ９０１を取得し、表示デバイス５００に表示ないしは、印刷装置６００に出力することが可能となる。
【００１７】
図３は映像音声画像コンテンツ９００・９０１を表した図である。本実施例において、映像音声画像コンテンツ９００及び縮小コンテンツ９０２は、Ｅｘｉｆ規格に基づいた静止画像として説明する。映像音声画像コンテンツ９００は、主に撮像画像に関する情報であるメタデータと、圧縮された撮像画像で構成される。メタデータは、ＡＰＰ１マーカ内に格納され、画像の縦横の大きさや、撮影日時、絞り、露出値などの撮影条件などの情報が格納される。撮像・再生装置３００のＣＣＤなどを通して撮影されたデータは、デジタル化された後、ＪＰＥＧ圧縮を用いて圧縮され、Ｃｏｍｐｒｅｓｓｅｄ  Ｄａｔａに格納される。映像音声画像コンテンツ９０１は映像音声画像コンテンツ９００のコピーであり、その構造はおなじである。
【００１８】
図５は、映像音声画像コンテンツ９０１が格納された第２の不揮発性記憶装置１１０の格納位置にアクセスするため手順をスクリプトを解釈する手段が理解可能な形式で記録されている平文スクリプト９１３の一例である。
【００１９】
図５では、映像音声画像コンテンツ９０１は映像音声画像管理装置１００、すなわち“Ｄｊｅｈｕｔｙ．ｐａｎａｓｏｎｉｃ．ｃｏｍ”の“／ｄｃｉｍ／１００ｐａｎａ／ｐ１０００００１．ｊｐｇ”に格納されており、アクセスするためには、ユーザ識別情報（ＵｓｅｒＩＤ）とパスワード（Ｐａｓｓｏｗｏｒｄ）が必要であり、それぞれが”Ｅｔｏｈ“、”ａｂｃ１２３“であるとする。本手順に従うと、まずＯｐｅｎコマンドによって、“Ｄｊｅｈｕｔｙ．ｐａｎａｓｏｎｉｃ．ｃｏｍ”を開き、ＵｓｅｒＩＤとＰａｓｓｗｏｒｄを送信する。その後、“／ｄｃｉｍ／１００ｐａｎａ／ｐ１０００００１．ｊｐｇ”の映像音声画像コンテンツをＧｅｔコマンドによって取得する。各コマンドが失敗した場合は、例外が投げられ、ｔｈｒｏｗ内に入り、返却するイメージがない旨を返す。本例は、一例であり、もちろん手順はこれに縛られない。映像音声画像管理装置１００からの要求を受けて、ＵｓｅｒＩＤとＰａｓｓｗｏｒｄを送信するような手順でもよいし、ＵｓｅｒＩＤやＰａｓｓｗｏｒｄを送信しなくてもよい場所であれば、その手順をいれなくてもよい。より厳格な認証を必要としているのであれば、認証鍵交換のような手順をいれてもよいし、映像音声画像管理装置１００が必要としているアクセス手順を記載すればよい。
【００２０】
図４は縮小コンテンツ９０２を表した図である。縮小コンテンツ９０２では、ＣｏｍｐｒｅｓｓｅｄＤａｔａ内に縮小コンテンツ生成手段によって縮小された縮小画像が格納される。メタデータを格納するＡＰＰ１マーカ内のＥｘｉｆＩＦＤには、メーカが独自に使用してもよいＭａｋｅｒＮｏｔｅ領域があり、ＭａｋｅｒＮｏｔｅ領域にアクセススクリプト９１０が格納されている。図５で説明したようにアクセス手順の中には映像音声画像管理装置１００にアクセスする権利を有しているユーザが他人には隠しておきたいＵｓｅｒＩＤやＰａｓｓｗｏｒｄが記録されている場合がある。また、アクセススクリプトを改竄し不正にアクセスされることを防ぎたい場合がある。そのため、アクセススクリプト９１０は、平文スクリプト９１３を暗号化した情報である暗号化スクリプト９１１と、スクリプトが改竄されていないかどうかを検知するための情報としてスクリプト署名９１２で構成される。
【００２１】
図２は不揮発性記憶装置１００の機能構成を示すブロック図である。第一の不揮発性記憶装置２００を装着するためのスロット１０１と、第１の不揮発性記憶装置のコンテンツを第２の不揮発性記憶装置にバックアップした上で、第１の不揮発性記憶装置に第２の不揮発性記憶装置１１０にアクセスするための手順であるアクセススクリプトを埋め込んだ縮小コンテンツを書き戻す取り込み手段１２０と、取り込み手段１２０から指示を受け映像音声画像コンテンツを縮小し、縮小コンテンツを生成する縮小コンテンツ生成手段１４０と、第２の不揮発性記憶装置１１０に格納された映像音声画像コンテンツにアクセスするための手順である平文アクセススクリプト９１３を生成するスクリプト生成手段１３０と、平文アクセススクリプト９１３を外部ユーザから隠蔽するために暗号化を行う暗号化手段１５０と、平文アクセススクリプト９１３が改竄されていないことを検知するために署名情報であるスクリプト署名９１２を付与する署名付与手段１６０とで構成される。
【００２２】
図６は、映像音声管理装置１００において、ユーザが第１の不揮発性記憶装置２００から映像音声画像管理装置１００内の不揮発性記憶装置１１０にバックアップをとる手順を示したものである。各手段間を受け渡す線の上には、「要求内容（引き渡す情報）」を記載している。戻り側の線の上には「処理結果」を記載している。
【００２３】
（Ｓ７０１）ユーザは取り込み手段１２０にバックアップの開始を要求し、次のステップに進む。
【００２４】
（Ｓ７０２）要求を受けて取り込み手段１２０は、第１の不揮発性記憶装置２００からバックアップの対象となる映像音声画像コンテンツ９００をひとつ取り出し、取り込み手段１２０に返却し、次のステップに進む。
【００２５】
（Ｓ７０３）取り込み手段１２０は映像音声画像コンテンツ９００を第２の不揮発性記憶装置１１０に複写する。第２の不揮発性記憶装置１１０から格納完了通知を受けると次のステップに進む。ここで、第２の不揮発性記憶装置１１０に格納された映像音声画像コンテンツを９０１とする。
【００２６】
（Ｓ７０４）取り込み手段１２０は、スクリプト生成手段１３０に対して、映像音声画像コンテンツ９０１の格納位置を通知後、 アクセススクリプト９１０の生成を要求し、次のステップに進む。
【００２７】
（Ｓ７０５）スクリプト生成手段１３０は、映像音声画像コンテンツ９０１の格納位置情報を元に、映像音声画像コンテンツ９０１を送受信手段１０２経由にて取得するために必要な手順を記載した平文スクリプト９１３を生成し、次のステップに進む。
【００２８】
（Ｓ７０６）スクリプト生成手段１３０は、必要に応じて、暗号化手段１５０に平文スクリプト９１３の暗号化要求を行う。暗号化手段１５０は平文スクリプト９１３を暗号化し、暗号化スクリプト９１１をスクリプト生成手段１３０に返却する。必要なければ本ステップは省略できる。
【００２９】
（Ｓ７０７）スクリプト生成手段１３０は、必要に応じて、署名付与手段１６０に平文スクリプト９１３の署名要求を行う。署名付与手段１６０は、平文スクリプト９１３に対して、ＭＤ５やＳＨＡ−１などのハッシュ演算を行い、ハッシュ値を算出した後、公開鍵で暗号化を行うなどの方法で、スクリプトに対する署名であるスクリプト署名９１２をスクリプト生成手段１３０に返却し、次ステップに進む。必要なければ本ステップは省略できる。
【００３０】
（Ｓ７０８）スクリプト生成手段１３０は、暗号化スクリプト９１１とスクリプト署名９１２を元にアクセススクリプト９１０を生成し、取り込み手段１２０に返却し、次ステップに進む。
【００３１】
（Ｓ７０９）取り込み手段１２０は、映像音声画像コンテンツ９００の縮小コンテンツの作成を縮小コンテンツ生成手段１４０に要求する。縮小コンテンツ生成手段１４０は、映像音声画像コンテンツ９１０の縮小画像を生成し、縮小コンテンツ９０２を取り込み手段１２０に返却、次ステップに進む。
【００３２】
（Ｓ７１０）取り込み手段１２０は、縮小コンテンツ９０２にアクセススクリプト９１０を埋め込み、次ステップに進む。
【００３３】
（Ｓ７１１）取り込み手段１２０は縮小コンテンツ９０２を第１の不揮発性記憶装置２００に複写し、複写が完了すると、次ステップに進む。
【００３４】
（Ｓ７１２）取り込み手段１２０は、映像音声画像コンテンツ９００を第１の福発性記憶装置２００から削除する。削除が完了すると、次のバックアップ対象コンテンツがある場合は、Ｓ７０２に戻る。全てのバックアップ対象コンテンツがバックアップ完了すれば、Ｓ７１３に進む。
【００３５】
（Ｓ７１３）ユーザに対して、バックアップ完了を通知し、処理を終了する。
【００３６】
以上のように本発明による映像音声画像管理装置１００は、着脱可能な第一の不揮発性記憶装置２００から第２の不揮発性記憶装置１１０にバックアップする際、第１の不揮発性記憶装置２００に第２の不揮発性記憶装置１１０にアクセスするためのスクリプトを含んだ縮小コンテンツを書き戻すことで、第１の不揮発性記憶装置１１０の空き容量を確保するとともに、他の機器が必要に応じて、第２の不揮発性記憶装置１１０にバックアップされた映像音声画像コンテンツへアクセスし、取得することを可能としている。
【００３７】
図７は、縮小コンテンツが格納された撮像・再生装置３００の構成を表したものである。このうち、撮像装置としての役割は本願の範囲の外にあるために記載しない。再生装置３００として見たときの構成を表している。
【００３８】
再生装置３００は、第１の不揮発性記憶装置２００を装着するためのスロット３０１と、第１の不揮発性記憶装置の映像音声画像コンテンツ及び縮小コンテンツを表示するためのコンテンツ表示手段３２０と、コンテンツ表示手段から与えられたコンテンツが圧縮されている場合、必要に応じてデコードを行い非圧縮映像音声画像に展開するデコード手段３０５と、デコード手段から渡された非圧縮映像音声画像を表示するための再生装置内の小型液晶モニタである表示部３１０と、縮小コンテンツに格納されているスクリプトに基づきスクリプトを実行するスクリプト実行手段３３０と、スクリプトが暗号化されている場合スクリプトの復号化を行う復号化手段３５０と、スクリプトに署名が付与されている場合、スクリプトが改竄されていないかどうかをスクリプトに付与された署名に基づいて検証を行う署名検証手段３６０と、スクリプトに基づき再生装置外の装置と通信を行うための送受信手段３０２で構成される。また、再生装置３００はＨＤＭＩケーブルなどの伝送ケーブルを用いて表示装置５００や、ＵＳＢケーブル等の伝送ケーブルを用いて印刷装置６００を接続することができる。接続された際、デコード手段３０５から非圧縮映像音声画像を表示装置５００や印刷装置６００に送信し、表示を行ったり、印刷したりすることが可能であるが、常に接続されていなくてもよいし、片方だけ接続されていてもよい。
【００３９】
図８は再生装置３００が不揮発性記憶装置に格納されたコンテンツを表示ないしは印刷する手順を示したものである。
【００４０】
（Ｓ８０１）ユーザからの再生要求に応じて、コンテンツ表示手段３２０は、ユーザが所望する再生対象コンテンツを第１の不揮発性記憶装置から取得する。ユーザが所望する再生対象コンテンツが、縮小されていないないしは、アクセススクリプトが付与されていない映像音声画像である映像音声画像コンテンツ９００の場合はＳ８０２に進む。縮小コンテンツ９０２の場合、表示対象が表示部であれば、Ｓ８０６に進み、それ以外の場合は、Ｓ８０８に進む。
【００４１】
（Ｓ８０２）映像音声画像コンテンツ９００の再生要求をデコード手段に対して行う。デコード手段はそれを受け手映像音声画像コンテンツ９００のデコードを行い、非圧縮映像音声画像を生成する。表示対象が表示部３１０の場合は、Ｓ８０３へ進む。表示対象が印刷装置６００の場合は、Ｓ８０４に進む。表示対象が表示装置５００の場合は、Ｓ８０５に進む。
【００４２】
（Ｓ８０３）デコード手段３０５は非圧縮映像音声画像を表示部３１０に出力し処理を終了する。
【００４３】
（Ｓ８０４）デコード手段３０５は非圧縮映像音声画像を印刷装置６００に出力し処理を終了する。
【００４４】
（Ｓ８０５）デコード手段３０５は非圧縮映像音声画像を表示装置５００に出力し処理を終了する。
【００４５】
（Ｓ８０６）再生対象コンテンツが縮小コンテンツ９００の場合、表示対象に応じて処理が分かれる。表示対象が表示部３１０の場合、デコード手段３０５に対して、縮小コンテンツ９０２のデコードを要求し、デコード手段３０５はそれを受けて、縮小コンテンツ９０２を展開し、非圧縮映像音声画像を生成し、次ステップに進む。
【００４６】
（Ｓ８０７）デコード手段３０５はＳ８０６で生成された非圧縮映像音声画像を表示部３１０に出力し、処理を終了する。
【００４７】
（Ｓ８０８）再生対象コンテンツが縮小コンテンツ９００で表示対象が外部の表示装置５００ないしは印刷装置６００の場合、縮小コンテンツ９００をそのまま出力すると非常に荒い画像となるため、不向きである。そのため、縮小前のコンテンツが取得を行う。コンテンツ表示手段３２０は縮小コンテンツに付与されているアクセススクリプト９１０を取り出し、スクリプト実行手段３３０に送り、スクリプトの実行を要求、次ステップに進む。
【００４８】
（Ｓ８０９）アクセススクリプト９１０が暗号化されている場合、スクリプト実行手段３３０は、アクセススクリプト９１０内の暗号化スクリプト９１１を復号化手段３５０に渡し、復号要求する。復号化手段３５０は、要求を受けて、暗号化スクリプト９１１を復号し、平文スクリプト９１３をスクリプト実行手段３３０に返却、次ステップに進む。
【００４９】
（Ｓ８１０）アクセススクリプト９１０にスクリプト署名が付与されている場合、平文スクリプト９１３を前記Ｓ７０７で行ったハッシュ演算とおなじ演算方法でハッシュ値を算出したものと、スクリプト署名９１２を前記ステップ７０７で使用した公開鍵とペアになる秘密鍵で復号化したものとを比較し、同一であれば、改竄されていないと判断、違っていればどこかで改竄がおこなわれたと判断し、改竄有無結果をスクリプト実行手段３３０に返却する。改竄が行われていた場合は処理を中断する。
【００５０】
（Ｓ８１１）スクリプト実行手段３３０は平文スクリプト９１３に記載の手順を実行する。スクリプト実行手段３３０は、送受信手段３０２を経由し、映像音声画像管理装置１００に対して、スクリプトに記載の手順に従ってアクセスを行い、映像音声画像管理装置１００から映像音声画像コンテンツ９０１を取得する。取得した映像音声画像コンテンツ９０１は、コンテンツ表示手段３２０に返却する。
【００５１】
（Ｓ８１２）コンテンツ表示手段３２０は、デコード手段３０５に対して、映像音声画像コンテンツ９０１のデコードを要求する。デコード手段３０５は、コンテンツ表示手段３２０からの要求を受けて、映像音声画像コンテンツ９０１の圧縮を展開し、非圧縮映像音声画像を生成し、次ステップに進む。
【００５２】
（Ｓ８１３）表示対象が印刷装置６００の場合、印刷装置６００に対して、非圧縮映像音声画像を出力し、処理を終了する。
【００５３】
（Ｓ８１４）表示対象が表示装置５００の場合、表示装置５００に対して、非圧縮映像音声画像を出力し、処理を終了する。
【００５４】
以上のように本発明による再生装置３００は、着脱可能な第一の不揮発性記憶装置２００から取得したコンテンツが縮小コンテンツ９０２だった場合、縮小コンテンツ９０２に付与された第２の不揮発性記憶装置１１０にバックアップされた縮小前の映像音声画像コンテンツ９０１にアクセスすることが可能となる。
【００５５】
なお、本発明を上記の実施形態に基づいて説明してきたが、本発明は上記の実施形態に限定されないのはもちろんである。本発明の趣旨を逸脱しない範囲で実施変更することができる。以下のような場合も本発明に含まれる。
【００５６】
（１）本実施例では静止画像で説明したがデジタル化されたデータであればなんでもよい。動画データであっても、音楽データであってもよい。
【００５７】
（２）本実施例に於ける署名検証方法は一例であり、演算方法が外部に非公開のハッシュ演算を用いる方法でもよいし、改竄が検知できる方法であれば何でもよい。
【００５８】
（３）本実施例では第２の不揮発性記憶装置１１０は映像音声画像装置１００の内部にあることを想定したが、映像音声画像管理装置１００の外部にあってもよい。例えば、図９のように外部ネットワーク上のサーバ４００上の不揮発性記憶装置４１０でもよい。その場合、アクセススクリプト９１０はサーバ４００上の不揮発性記憶装置４１０に格納されている映像音声画像コンテンツへのアクセス手順を記載したスクリプトとなる。
【００５９】
（４）本実施例では撮像・再生装置３００として、デジタルスチルカメラを例に記録したが、撮像は主眼ではない。ポータブルビデオプレーヤのような再生専用装置であってもよいし、スクリプトを実行し、再生装置外に格納されている縮小されていない映像音声画像コンテンツを取得することが可能であれば、何でもよい。
【００６０】
（５）本実施例では第１の不揮発性記憶装置２００は映像音声画像管理装置１００のスロット１１０に装着するとしたが、映像音声画像管理装置１００に接続された読み取り装置経由でもよいし、撮像・再生装置３００と映像音声画像管理装置１００を直接接続し、撮像・再生装置３００に第１の不揮発性記憶装置１００を装着したまま、ないしは撮像・再生装置３００の着脱不能な固定記憶装置であってもよい。
【産業上の利用可能性】
【００６１】
本発明にかかる映像音声画像管理装置と再生装置は限られた容量の不揮発性記憶装置であっても実体画像へのアクセス方法を付与することで、必要に応じて実体画像へアクセスする方法を提案したものであり、２つの不揮発性記憶装置間でデータのやりとりを行う静止画管理装置、動画管理装置、デジタルビデオレコーダや携帯電話、デジタルスチルカメラ、デジタルビデオカメラにおいて有益である。
【符号の説明】
【００６２】
１００    映像音声画像管理装置
１０１，３０１    スロット
１０２，３０２    送受信手段
１１０    第２の不揮発性記憶装置
１２０    取り込み手段
１３０    スクリプト生成手段
１４０    縮小コンテンツ生成手段
１５０    暗号化手段
１６０    署名付与手段
２００    第１の不揮発性記憶装置
３００    撮像・再生装置
３０５    デコード手段
３１０    表示部
３２０    コンテンツ表示手段
３３０    スクリプト実行手段
３５０    復号化手段
３６０    署名検証手段
４００    サーバ
５００    表示装置
６００    印刷装置
９００，９０１    コンテンツ
９０２    縮小コンテンツ
９１０    アクセススクリプト
９１１    暗号化スクリプト
９１２    スクリプト署名
９１３    平文スクリプト
【図１】
2011035494.tif 000003
【図２】
2011035494.tif 000004
【図３】
2011035494.tif 000005
【図４】
2011035494.tif 000006
【図５】
2011035494.tif 000007
【図６】
2011035494.tif 000008
【図７】
2011035494.tif 000009
【図８】
2011035494.tif 000010
【図９】
2011035494.tif 000011
【図１０】
2011035494.tif 000012